(57)【特許請求の範囲】
【請求項１】
電子機器を収容する屋外設置型キャビネットであって、
複数の第１通気口が形成された第１側壁と第２側壁とを有する概略箱型のキャビネット本体と、
前記キャビネット本体の前記第１側壁と第２側壁の前記第１通気口間に渡って、前記キャビネット本体の内部に配管された外気流路と、
前記外気流路に外気の流れを生じさせる外部ファンと、
前記キャビネット本体の前記第１側壁の近傍の内気を循環させる第１循環ファンと、
前記キャビネット本体の前記第２側壁の近傍の内気を循環させる第２循環ファンと、
前記外気流路を流通される外気と前記キャビネット本体の内気との間で熱交換を行う、該キャビネット本体の内部に該キャビネットの該第１側壁または第２側壁内面から離間して設けられた熱交換手段と、
前記キャビネット本体の前記第１側壁および第２側壁の温度を検出し、検出した温度に応じて該外部ファンの作動を制御するとともに、前記第１側壁の温度である第１温度及び前記第２側壁の温度である第２温度をそれぞれ検出し、検出した第１温度が第２温度よりも大きい場合、前記第１循環ファンを停止する温度検出制御手段と、を備えた屋外設置型キャビネット。
【請求項２】
請求項１に記載の屋外設置型キャビネットにおいて、
前記外気流路は、複数の細管からなる屋外設置型キャビネット。
【請求項３】
請求項１に記載の屋外設置型キャビネットにおいて、
前記温度検出制御手段は、バイメタルである屋外設置型キャビネット。
【請求項４】
電子機器を収容する屋外設置型キャビネットであって、
第１上部通気口及び第１下部通気口が形成された第１側壁、並びに第２上部通気口及び第２下部通気口が形成された第２側壁を有する概略箱型のキャビネット本体と、
前記キャビネット本体の前記第１側壁の前記第１上部通気口近傍の内側に画成された第１ファン収容室と、
前記キャビネット本体の前記第２側壁の前記第２上部通気口近傍の内側に画成された第２ファン収容室と、
前記第１ファン収容室内に前記第１上部通気口から該第１ファン収容室内の空気を排出するように設けられた第１外部ファンと、
前記第２ファン収容室内に前記第２上部通気口から該第２ファン収容室内の空気を排出するように設けられた第２外部ファンと、
前記第１ファン収容室と前記第１下部通気口間に渡って、前記キャビネット本体の内部に配管された第１外気流路と、
前記第２ファン収容室と前記第２下部通気口間に渡って、前記キャビネット本体の内部に配管された第２外気流路と、
前記第１外気流路を流通される外気と前記キャビネット本体の内気との間で熱交換を行う、該キャビネット本体の内部に前記第１側壁の内面から離間して設けられた第１熱交換手段と、
前記第２外気流路を流通される外気と前記キャビネット本体の内気との間で熱交換を行う、該キャビネット本体の内部に前記第２側壁の内面から離間して設けられた第２熱交換手段と、
前記キャビネット本体の前記第１側壁の近傍の内気を循環させる第１循環ファンと、
前記キャビネット本体の前記第２側壁の近傍の内気を循環させる第２循環ファンと、
前記第１側壁の温度である第１温度及び前記第２側壁の温度である第２温度をそれぞれ検出し、検出した第１温度及び第２温度と予め設定された複数の設定温度との大小関係に応じて、前記第１外部ファン及び前記第２外部ファンの作動をそれぞれ制御するとともに、前記第１側壁の温度である第１温度及び前記第２側壁の温度である第２温度をそれぞれ検出し、検出した第１温度が第２温度よりも大きい場合、前記第１循環ファンを停止する温度検出制御手段と、を備えた屋外設置型キャビネット。
【発明の詳細な説明】
【０００１】
【発明の属する技術分野】
本発明は、屋外に設置される通信機器等の電子機器を収容する屋外設置型キャビネットに関し、主として屋外設置型キャビネットの冷却もしくは放熱技術に関する。
【０００２】
【従来の技術】
通信機器を収容する従来の屋外設置型キャビネットについて説明する。キャビネット本体は概略箱状に形成され、正面に観音開式の扉を有している。キャビネット本体の内部には、該キャビネット本体の内部を上下に三個の室に画成するように一対の隔壁が両側壁間に渡って設けられている。
【０００３】
キャビネット本体の内部の最下段はバックアップ用の蓄電池（バッテリ）が収容される蓄電池収容部となっており、中段は通信機器を収容する機器収容部となっており、最上段は熱交換部となっている。
【０００４】
機器収容部と熱交換部を隔てる隔壁には、機器収容部側に突出する放熱フィン及び熱交換部側に突出する放熱フィンからなる熱交換器が取り付けられている。キャビネット本体の両側壁の熱交換部及び蓄電池収容部に対応する位置には、それぞれ通気口が形成されている。
【０００５】
熱交換部の通気口の近傍にはそれぞれ外部ファンが配設され、機器収容部には複数の内部ファンが配設されている。内部ファンは、機器収容部の内部温度が所定の温度になったならば作動され、外部ファンは、内部ファンが作動された状態で他の所定の温度になったならば作動される。
【０００６】
機器収容部の内部に収容された通信機器が発生した熱の一部は、内部ファンが作動されていない場合には自然対流により、内部ファンが作動された場合には強制対流によりキャビネットの側壁（左側壁、右側壁、正面壁及び裏面壁）を介して外部に放熱される。また、機器収容部の内部に収容された通信機器が発生した熱の他の一部は、外部ファンが作動された状態では積極的に、外部ファンが作動されない状態ではそれなりに熱交換器を介してキャビネット本体の外部に放熱される。
【０００７】
内部ファン及び外部ファンを機器収容部の温度に応じて作動又は停止させることにより、キャビネット本体の内部の温度を一定値以下に保ち、且つ寒冷時に不要なファンの作動がないように配慮している。
【０００８】
蓄電池収容部には、停電時等におけるバックアップ用として、電気分解型の蓄電池が収容されるが、この蓄電池の充電に伴い水素等の有害ガスが生成される場合があり、この有害ガスの排気は、側壁に形成された通気口を介して自然的に行われる。
【０００９】
【発明が解決しようとする課題】
しかし、従来技術によると、キャビネット本体の上部に熱交換部を配置しているので、キャビネット本体の天井壁を放熱面として機能させることができず、放熱効率が低かった。
【００１０】
また、従来技術によると、日射の有無にかかわらず、キャビネット本体の全ての側面に沿った空気流動が行われていたため、日中の時間帯はキャビネット本体の側壁への日射量は少ないから、キャビネット本体の側壁を介しての放熱特性は良好であるものの、朝・夕の側壁への日射量の多い時間帯では、逆に日射熱量のキャビネット本体内部への流入を促進するかたちとなり、放熱効率が低くなるとともに、騒音源となる外部ファンの作動時間を拡大する結果となっていた。
【００１１】
さらに、蓄電池が発生する水素等の有害ガスの排気が十分でなく、安全性に欠けるという問題もあった。
よって、本発明の目的は、放熱特性を向上することである。また、蓄電池が発生する有害ガスの高効率的な換気を行うことである。
【００１２】
【課題を解決するための手段】
本願において開示される発明のうち、代表的なものの概要を簡単に説明すれば、以下のとおりである。
【００１３】
本発明によると、電子機器を収容する屋外設置型キャビネットであって、複数の第１通気口が形成された第１側壁と第２側壁とを有する概略箱型のキャビネット本体と、前記キャビネット本体の前記第１側壁と第２側壁の前記第１通気口間に渡って、前記キャビネット本体の内部に配管された外気流路と、前記外気流路に外気の流れを生じさせる外部ファンと、前記キャビネット本体の前記第１側壁の近傍の内気を循環させる第１循環ファンと、前記キャビネット本体の前記第２側壁の近傍の内気を循環させる第２循環ファンと、前記外気流路を流通される外気と前記キャビネット本体の内気との間で熱交換を行う、該キャビネット本体の内部に該キャビネットの該第１側壁または第２側壁内面から離間して設けられた熱交換手段と、前記キャビネット本体の前記第１側壁および第２側壁の温度を検出し、検出した温度に応じて該外部ファンの作動を制御するとともに、前記第１側壁の温度である第１温度及び前記第２側壁の温度である第２温度をそれぞれ検出し、検出した第１温度が第２温度よりも大きい場合、前記第１循環ファンを停止する温度検出制御手段と、を備えた屋外設置型キャビネットが提供される。
【００１４】
本発明によると、キャビネット本体の側壁のみならず天井壁（天井面）をも放熱面として使用できるので、放熱特性を向上することができる。
さらに、キャビネット本体の第１及び第２側壁の温度に応じて外部ファン及び第１及び第２循環ファンの作動を制御するようにしたから、キャビネット本体の第１及び第２側壁への日射量の多い朝・夕には、温度の高い側壁についての第１又は第２循環ファンを停止させるようにすることができ、日射熱量のキャビネット本体内部への流入を抑制できるとともに、騒音源となるファンの作動時間を短縮することができる。
【００１７】
【発明の実施の形態】
以下、本発明の実施の形態を図面を参照して詳細に説明する。
図１は本発明が適用された通信装置用屋外設置型キャビネットの概略構成を模式的に示した断面図、図２は同じく一部を省略した斜視図、図３は同じく外観を示す斜視図である。
【００１８】
同図において、１はキャビネット本体であり、キャビネット本体１は、正面側壁、裏面側壁、左側壁１ａ、右側壁１ｂ、天井壁１ｃ、及び底壁を有する概略箱状に形成されており、正面側壁は観音開式の扉となっている。キャビネット本体１の内部の下部近傍には、キャビネット本体１の内部空間を上下に二個の室に画成するように隔壁２が左側壁１ａ及び右側壁１ｂ間に渡って設けられている。この隔壁２より上部が通信機器（図示せず）を収容する機器収容部３ａとなり、隔壁２より下部が非常時における電源供給用（バックアップ用）の電気分解型の蓄電池（図示せず）が収容される蓄電池収容部３ｂとなる。
【００１９】
キャビネット本体１の左側壁１ａ及び右側壁１ｂの天井壁１ｃの近傍には、それぞれ上部通気口４ａ、４ｂが形成されており、キャビネット本体１の左側壁１ａ及び右側壁１ｂの蓄電池収容部３ｂに対応する位置には、それぞれ下部通気口５ａ、５ｂが形成されている。
【００２０】
左側壁１ａの上部通気口４ａ近傍の内側には、第１外部ファン６ａを収容する第１外部ファン収容室７ａが画成されている。右側壁１ｂの上部通気口４ｂ近傍の内側には、第２外部ファン６ｂを収容する第２外部ファン収容室７ｂが画成されている。
【００２１】
第１外部ファン６ａは、第１外部ファン収容室７ａ内の空気を上部通気口４ａから排出するように設けられている。第２外部ファン６ｂは、第２外部ファン収容室７ｂ内の空気を上部通気口４ｂから排出するように設けられている。これらの第１外部ファン６ａ及び第２外部ファン６ｂは、それぞれ低速（ｌｏｗ）及び高速（ｈｉｇｈ）の二つのモードを有している。
【００２２】
隔壁２の左側壁１ａの近傍、右側壁１ｂの近傍及び中央部には、それぞれ複数の隔壁通気口８ａ、８ｂ、８ｃが形成されている。第１ファン収容室７ａと隔壁２の左側壁１ａ側の隔壁通気口８ａ間に渡って、複数の細管からなる第１外気流路９ａが配管され、第２ファン収容室７ｂと隔壁２の右側壁１ｂ側の隔壁通気口８ｂ間に渡って、複数の細管からなる第２外気流路９ｂが配管されている。
【００２３】
また、第１ファン収容室７ａから中央部の隔壁通気口８ｃ間に渡って、複数の細管からなる第３外気流路９ｃが配管され、第２ファン収容室７ｂと隔壁２の中央部の隔壁通気口８ｃ間に渡って、複数の細管からなる第４外気流路９ｄが配管されている。
【００２４】
第１外気流路９ａには、第１外気流路９ａを流通される外気とキャビネット本体１の内気との間で熱交換を行う第１熱交換器１０ａが、左側壁１ａの内面から離間するように取り付けられている。第２外気流路９ｂには、第２外気流路９ｂを流通される外気とキャビネット本体１の内気との間で熱交換を行う第２熱交換器１０ｂが、右側壁１ｂの内面から離間するように取り付けられている。
【００２５】
第３外気流路９ｃ及び第４外気流路９ｄの垂直部分には、第３外気流路９ｃ及び第４外気流路９ｄを流通される外気とキャビネット本体１の内気との間で熱交換を行う第３熱交換器１０ｃが取り付けられている。
【００２６】
第３外気流路９ｃの水平部分には、第３外気流路９ｃを流通される外気とキャビネット本体１の内気との間で熱交換を行う第４熱交換器１０ｄが、天井壁１ｃの内面から離間するように取り付けられている。第４外気流路９ｄの水平部分には、第４外気流路９ｄを流通される外気とキャビネット本体１の内気との間で熱交換を行う第５熱交換器１０ｅが、天井壁１ｃの内面から離間するように取り付けられている。
【００２７】
これらの第１乃至第５熱交換器１０ａ〜１０ｅは、アルミニウム等の金属から形成され、図４に示されているように、複数の細管からなる外気流路９ａ〜９ｄ及び複数の放熱フィン１１を有している。
【００２８】
キャビネット本体１の機器収容部３ａには、機器収容部３ａ内の空気を循環させる第１循環ファン１２ａ及び第２循環ファン１２ｂが設けられるとともに、機器収容部３ａ内の空気を攪拌等する複数の内部ファン１３が設けられている。
【００２９】
キャビネット本体１の左側壁１ａの第１外部ファン収容室７ａの下側近傍には、左側壁１ａの温度に応じて作動する複数のバイメタル１４ａが取り付けられている。キャビネット本体１の右側壁１ｂの第２外部ファン収容室７ｂの下側近傍には、右側壁１ｂの温度に応じて作動する複数のバイメタル１４ｂが取り付けられている。
【００３０】
これらのバイメタル１４ａ、１４ｂは、複数の予め設定された温度に達した場合に、対応する電気回路（第１外部ファン６ａ、第２外部ファン６ｂ、第１循環ファン１２ａ、第２循環ファン１２ｂ、及び内部ファン１３の各給電回路）のオン又はオフの制御を行う手段である。
【００３１】
なお、蓄電池収容部３ｂに収容された蓄電池は劣化等により水素を発生することがあり、換気を行わないと危険な状態となることがある。そこで、該蓄電池への充電電流を感知することにより水素の発生を検出する水素発生検出手段（図示せず）を設け、後述する他の制御系により第１外部ファン６ａ及び第２外部ファン６ｂが作動されていない場合において水素の発生が検出されたときには、第１外部ファン６ａ及び第２外部ファン６ｂを作動させることにより、蓄電池収容部３ｂの換気が行われるようになっている。
【００３２】
以下、図５乃至図１０に示すフローチャートに従って、第１外部ファン６ａ、第２外部ファン６ｂ、第１循環ファン１２ａ、第２循環ファン１２ｂ、及び内部ファン１３の作動制御について説明する。
【００３３】
ここで、左側壁１ａの温度をＳ1 、右側壁１ｂの温度をＳ2 とする。また、予め設定された５つの温度（低い順に第１設定温度、第２設定温度、第３設定温度、第４設定温度及び第５設定温度）をＴ1 、Ｔ2 、Ｔ3 、Ｔ4 及びＴ5 とし、予め設定された設定温度範囲をｔc とする。
【００３４】
この例では、第１設定温度Ｔ1 は摂氏３０度、第２設定温度Ｔ2 は摂氏４０度、第３設定温度Ｔ3 は摂氏５０度、第４設定温度Ｔ4 は摂氏６０度、第５設定温度Ｔ5 は摂氏７０度及び設定温度範囲ｔc は１０度とする。なお、これらの温度Ｔ1 、Ｔ2 、Ｔ3 、Ｔ4 、Ｔ5 及びｔc は、収容する通信機器の発熱量、設置環境等に応じて適宜に決定される。
【００３５】
まず、図５において、左側壁１ａの温度Ｓ1 と第１設定温度Ｔ1 の大小を比較し（ステップ「以下ＳＴと略す」１）、左側壁１ａの温度Ｓ1 が第１設定温度Ｔ1 より大きいか又は等しい場合には、内部ファン１３をオン（作動）する（ＳＴ２）。ＳＴ１において、左側壁１ａの温度Ｓ1 が第１設定温度Ｔ1 より小さい場合には、右側壁１ｂの温度Ｓ2 と第１設定温度Ｔ1 の大小を比較し（ＳＴ３）、右側壁１ｂの温度Ｓ2 が第１設定温度Ｔ1 より大きいか又は等しい場合にはＳＴ２に進み、右側壁１ｂの温度Ｓ2 が第１設定温度Ｔ1 より小さい場合にはＳＴ１に戻る。
【００３６】
ＳＴ４において、左側壁１ａの温度Ｓ1 と第１設定温度Ｔ1 から設定温度範囲ｔc を引いた温度とを比較し、左側壁１ａの温度Ｓ1 が第１設定温度Ｔ1 から設定温度範囲ｔc を引いた温度よりも小さい場合には、ＳＴ５に進んで、右側壁１ｂの温度Ｓ2 と第１設定温度Ｔ1 から設定温度範囲ｔc を引いた温度とを比較し、右側壁１ｂの温度Ｓ2 が第１設定温度Ｔ1 から設定温度範囲ｔc を引いた温度よりも小さい場合には、内部ファン１３をオフ（停止）した後、ＳＴ１に戻る。
【００３７】
ＳＴ４において、左側壁１ａの温度Ｓ1 が第１設定温度Ｔ1 から設定温度範囲ｔc を引いた温度よりも大きいか又は等しい場合、ＳＴ５において、右側壁１ｂの温度Ｓ2 が第１設定温度Ｔ1 から設定温度範囲ｔc を引いた温度よりも大きいか又は等しい場合には、図６のＳＴ７に進む。
【００３８】
図６において、左側壁１ａの温度Ｓ1 と第２設定温度Ｔ2 の大小を比較し（ＳＴ７）、左側壁１ａの温度Ｓ1 が第２設定温度Ｔ2 より大きいか又は等しい場合には、第１循環ファン１２ａ及び第２循環ファン１２ｂをそれぞれオン（作動）する（ＳＴ８、ＳＴ９）。
【００３９】
ＳＴ７において、左側壁１ａの温度Ｓ1 が第２設定温度Ｔ2 より小さい場合には、右側壁１ｂの温度Ｓ2 と第２設定温度Ｔ2 の大小を比較し（ＳＴ１０）、右側壁１ｂの温度Ｓ2 が第２設定温度Ｔ2 より大きいか又は等しい場合にはＳＴ８に進み、右側壁１ｂの温度Ｓ2 が第２設定温度Ｔ2 より小さい場合には図５のＳＴ４に戻る。
【００４０】
ＳＴ１１において、左側壁１ａの温度Ｓ1 と第２設定温度Ｔ2 から設定温度範囲ｔc を引いた温度とを比較し、左側壁１ａの温度Ｓ1 が第２設定温度Ｔ2 から設定温度範囲ｔc を引いた温度よりも小さい場合には、ＳＴ１２に進んで、右側壁１ｂの温度Ｓ2 と第２設定温度Ｔ2 から設定温度範囲ｔc を引いた温度とを比較し、右側壁１ｂの温度Ｓ2 が第２設定温度Ｔ2 から設定温度範囲ｔc を引いた温度よりも小さい場合には、第１循環ファン１２ａ及び第２循環ファン１２ｂをそれぞれオフ（停止）した後（ＳＴ１３、ＳＴ１４）、ＳＴ７に戻る。
【００４１】
ＳＴ１１において、左側壁１ａの温度Ｓ1 が第２設定温度Ｔ2 から設定温度範囲ｔc を引いた温度よりも大きいか又は等しい場合、ＳＴ１２において、右側壁１ｂの温度Ｓ2 が第２設定温度Ｔ2 から設定温度範囲ｔc を引いた温度よりも大きいか又は等しい場合には、図７のＳＴ１５に進む。
【００４２】
図７において、左側壁１ａの温度Ｓ1 と第３設定温度Ｔ3 の大小を比較し（ＳＴ１５）、左側壁１ａの温度Ｓ1 が第３設定温度Ｔ3 より大きいか又は等しい場合には、第１外部ファン６ａを低速でオン（作動）し（ＳＴ１６）、ＳＴ１７に進む。ＳＴ１５において、左側壁１ａの温度Ｓ1 が第３設定温度Ｔ3 より小さい場合には、ＳＴ１６を実行せずにＳＴ１７に進む。
【００４３】
ＳＴ１７において、右側壁１ｂの温度Ｓ2 と第３設定温度Ｔ3 の大小を比較し、右側壁１ｂの温度Ｓ2 が第３設定温度Ｔ3 より大きいか又は等しい場合には、第２外部ファン６ｂを低速でオン（作動）し（ＳＴ１８）、ＳＴ１９に進む。ＳＴ１７において、右側壁１ｂの温度Ｓ2 が第３設定温度Ｔ3 より小さい場合には、ＳＴ１８を実行せずにＳＴ１９に進む。
【００４４】
ＳＴ１９において、右側壁１ｂの温度Ｓ2 と第３設定温度Ｔ3 から設定温度範囲ｔc を引いた温度とを比較し、右側壁１ｂの温度Ｓ2 が第３設定温度Ｔ3 から設定温度範囲ｔc を引いた温度よりも小さい場合には、第２外部ファン６ｂをオフ（停止）し（ＳＴ２０）、第１外部ファン６ｂが運転中か否かを判断し（ＳＴ２１）、第１外部ファン６ｂが運転中でない場合には、ＳＴ１５に戻る。
【００４５】
ＳＴ１９において、右側壁１ｂの温度Ｓ2 が第３設定温度Ｔ3 から設定温度範囲ｔc を引いた温度よりも大きいか又は等しい場合、ＳＴ２１において、第１外部ファン６ａが運転中である場合には、ＳＴ２２に進む。
【００４６】
ＳＴ２２において、左側壁１ａの温度Ｓ1 と第３設定温度Ｔ3 から設定温度範囲ｔc を引いた温度とを比較し、左側壁１ａの温度Ｓ1 が第３設定温度Ｔ3 から設定温度範囲ｔc を引いた温度よりも小さい場合には、第１外部ファン６ａをオフ（停止）し（ＳＴ２３）、第２外部ファン６ｂが運転中か否かを判断する（ＳＴ２４）。
【００４７】
ＳＴ２４において、第２外部ファン６ｂが運転中でない場合には、ＳＴ１５に戻り、第２外部ファン６ｂが運転中である場合にはＳＴ１９に戻る。ＳＴ２２において、左側壁１ａの温度Ｓ1 が第３設定温度Ｔ3 から設定温度範囲ｔc を引いた温度よりも大きいか又は等しい場合には、図８のＳＴ２５に進む。
【００４８】
図８において、第１循環ファン１２ａが運転中か否かを判断し（ＳＴ２５）、第１循環ファン１２ａが運転中でない場合には図９のＳＴ３１に進み、第１循環ファン１２ａが運転中である場合にはＳＴ２６に進む。ＳＴ２６において、左側壁１ａの温度Ｓ1 と第４設定温度Ｔ4 の大小を比較し、左側壁１ａの温度Ｓ1 が第４設定温度Ｔ4 より小さい場合には図７のＳＴ１９に戻り、左側壁１ａの温度Ｓ1 が第４設定温度Ｔ4 より大きいか又は等しい場合にはＳＴ２７に進む。
【００４９】
ＳＴ２７において、右側壁１ｂの温度Ｓ2 と第４設定温度Ｔ4 の大小を比較し、右側壁１ｂの温度Ｓ2 が第４設定温度Ｔ4 より大きいか又は等しい場合には図１０のＳＴ４１に進み、右側壁１ｂの温度Ｓ2 が第４設定温度Ｔ4 より小さい場合には第１循環ファン１２ａをオフ（停止）する（ＳＴ２８）。
【００５０】
次いで、ＳＴ２９において、左側壁１ａの温度Ｓ1 と第４設定温度Ｔ4 から設定温度範囲ｔc を引いた温度の大小を比較し、左側壁１ａの温度Ｓ1 が第４設定温度Ｔ4 から設定温度範囲ｔc を引いた温度より大きいか又は等しい場合にはＳＴ２５に戻り、左側壁１ａの温度Ｓ1 が第４設定温度Ｔ4 から設定温度範囲ｔc を引いた温度より小さい場合には、第１循環ファン１２ａをオン（作動）し（ＳＴ３０）、ＳＴ２５に戻る。
【００５１】
図９において、第２循環ファン１２ｂが運転中か否かを判断し（ＳＴ３１）、第２循環ファン１２ｂが運転中でない場合にはＳＴ３７に進み、第２循環ファン１２ｂが運転中である場合にはＳＴ３２に進む。ＳＴ３２において、右側壁１ｂの温度Ｓ2 と第４設定温度Ｔ4 の大小を比較し、右側壁１ｂの温度Ｓ2 が第４設定温度Ｔ4 より小さい場合には図７のＳＴ１９に戻り、右側壁１ｂの温度Ｓ2 が第４設定温度Ｔ4 より大きいか又は等しい場合にはＳＴ３３に進む。
【００５２】
ＳＴ３３において、左側壁１ａの温度Ｓ1 と第４設定温度Ｔ4 の大小を比較し、左側壁１ａの温度Ｓ1 が第４設定温度Ｔ4 より大きいか又は等しい場合には図１０のＳＴ４１に進み、左側壁１ａの温度Ｓ1 が第４設定温度Ｔ4 より小さい場合には第２循環ファン１２ｂをオフ（停止）する（ＳＴ３４）。
【００５３】
次いで、ＳＴ３５において、右側壁１ｂの温度Ｓ2 と第４設定温度Ｔ4 から設定温度範囲ｔc を引いた温度の大小を比較し、右側壁１ｂの温度Ｓ2 が第４設定温度Ｔ4 から設定温度範囲ｔc を引いた温度より大きいか又は等しい場合には図８のＳＴ２５に戻り、右側壁１ｂの温度Ｓ2 が第４設定温度Ｔ4 から設定温度範囲ｔc を引いた温度より小さい場合には、第２循環ファン１２ｂをオン（作動）し（ＳＴ３６）、図８のＳＴ２５に戻る。
【００５４】
図１０において、左側壁１ａの温度Ｓ1 と第５設定温度Ｔ5 の大小を比較し、左側壁１ａの温度Ｓ1 が第５設定温度Ｔ5 よりも小さい場合にはＳＴ４５に進み、左側壁１ａの温度Ｓ1 が第５設定温度Ｔ5 よりも大きいか又は等しい場合にはＳＴ４２に進む。
【００５５】
ＳＴ４２において、右側壁１ｂの温度Ｓ2 と第５設定温度Ｔ5 の大小を比較し、右側壁１ｂの温度Ｓ2 が第５設定温度Ｔ5 よりも小さい場合にはＳＴ４５に進み、右側壁１ｂの温度Ｓ2 が第５設定温度Ｔ5 よりも大きいか又は等しい場合には、第１外部ファン１２ａ及び第２外部ファン１２ｂをそれぞれ低速モードから高速モードに切り換え（ＳＴ４３、ＳＴ４４）、ＳＴ４５に進む。
【００５６】
ＳＴ４５において、左側壁１ａの温度Ｓ1 と第５設定温度Ｔ5 から設定温度範囲ｔc を引いた温度の大小を比較し、左側壁１ａの温度Ｓ1 が第５設定温度Ｔ5 から設定温度範囲ｔc を引いた温度よりも大きいか又は等しい場合にはＳＴ４９に進み、左側壁１ａの温度Ｓ1 が第５設定温度Ｔ5 から設定温度範囲ｔc を引いた温度よりも小さい場合にはＳＴ４６に進む。
【００５７】
ＳＴ４６において、右側壁１ｂの温度Ｓ2 と第５設定温度Ｔ5 から設定温度範囲ｔc を引いた温度の大小を比較し、右側壁１ｂの温度Ｓ2 が第５設定温度Ｔ5 から設定温度範囲ｔc を引いた温度よりも大きいか又は等しい場合にはＳＴ４９に進み、右側壁１ｂの温度Ｓ2 が第５設定温度Ｔ5 から設定温度範囲ｔc を引いた温度よりも小さい場合には、第１外部ファン１２ａ及び第２外部ファン１２ｂをそれぞれ高速モードから低速モードに切り換え（ＳＴ４７、ＳＴ４８）、ＳＴ４９に進む。
【００５８】
ＳＴ４９において、左側壁１ａの温度Ｓ1 と第４設定温度Ｔ4 から設定温度範囲ｔc を引いた温度の大小を比較し、左側壁１ａの温度Ｓ1 が第４設定温度Ｔ4 から設定温度範囲ｔc を引いた温度よりも大きいか又は等しい場合にはＳＴ４１に戻り、左側壁１ａの温度Ｓ1 が第４設定温度Ｔ4 から設定温度範囲ｔc を引いた温度よりも小さい場合にはＳＴ５０に進む。
【００５９】
ＳＴ５０において、右側壁１ｂの温度Ｓ2 と第４設定温度Ｔ4 から設定温度範囲ｔc を引いた温度の大小を比較し、右側壁１ｂの温度Ｓ2 が第４設定温度Ｔ4 から設定温度範囲ｔc を引いた温度よりも大きいか又は等しい場合にはＳＴ４１に戻り、右側壁１ｂの温度Ｓ2 が第４設定温度Ｔ4 から設定温度範囲ｔc を引いた温度よりも小さい場合には図７のＳＴ１９に戻る。
【００６０】
本実施の形態によると、従来技術のように、熱交換部をキャビネット本体の上部に設けることはせず、第１乃至第５熱交換器１０ａ〜１０ｅを前述したように配置し、左側壁１ａ、右側壁１ｂ、天井壁１ｃからは離間させているから、キャビネット本体１の底壁を除く全ての側壁（左側壁１ａ、右側壁１ｂ、天井壁１ｃ、正面壁、裏面壁）を介して放熱を図ることができ、放熱効率を高くすることができる。
【００６１】
また、左側壁１ａと右側壁１ｂの温度を検出し、これらの温度と予め設定された温度との比較において、各ファン６ａ、６ｂ、１２ａ、１２ｂ、１３の作動を制御するようにしたから、高効率的な冷却を実現することができる。
【００６２】
特に、所定の条件下において、左側壁１ａの温度が右側壁１ｂの温度より大きい場合には、左側壁１ａへの日射量が多いものとみなして、第１循環ファン１２ａの作動を停止し、逆に、右側壁１ｂの温度が左側壁１ａの温度より大きい場合には、右側壁１ｂへの日射量が多いものとみなして、第２循環ファン１２ｂの作動を停止するようにしている。従って、朝・夕の側壁への日射量の多い時間帯において、日射熱量のキャビネット内への流入を抑制することができ、高効率的な冷却を実現できるとともに、騒音源となるファンの作動時間の縮小化も図れる。
【００６３】
さらに、外気流路９ａ、９ｂ、９ｃ、９ｄの一端を隔壁２の隔壁通気口８ａ、８ｂ、８ｃに接続して、第１及び第２外部ファン６ａ、６ｂの作動により、蓄電池収容部３ｂの換気を同時に行うことができ、蓄電池が発生する水素の排気を、特別な手段を採用することなく行うことができ、安全性を高めることができる。第１及び第２外部ファン６ａ、６ｂが作動されていない場合において水素の発生が検出された場合には、第１及び第２外部ファン６ａ、６ｂを作動させて、蓄電池収容部３ｂの換気を行うようにしたから、さらに安全である。
【００６４】
【発明の効果】
本発明は以上説明したように構成したので、放熱特性を向上することができる。また、蓄電池が発生する有害ガスの高効率的な排気を行うことができる。
【図面の簡単な説明】
【図１】本発明の実施の形態のキャビネットを示す断面図である。
【図２】本発明の実施の形態のキャビネットを示す斜視図である。
【図３】本発明の実施の形態のキャビネットの外観を示す斜視図である。
【図４】本発明の実施の形態の熱交換器を示す斜視図である。
【図５】本発明の実施の形態のファンの作動制御を示すフローチャート（その１）である。
【図６】本発明の実施の形態のファンの作動制御を示すフローチャート（その２）である。
【図７】本発明の実施の形態のファンの作動制御を示すフローチャート（その３）である。
【図８】本発明の実施の形態のファンの作動制御を示すフローチャート（その４）である。
【図９】本発明の実施の形態のファンの作動制御を示すフローチャート（その５）である。
【図１０】本発明の実施の形態のファンの作動制御を示すフローチャート（その６）である。
【符号の説明】
１  キャビネット本体
１ａ  左側壁
１ｂ  右側壁
１ｃ  天井壁
２  隔壁
３ａ  機器収容部
３ｂ  蓄電池収容部
４ａ、４ｂ  上部通気口
５ａ、５ｂ  下部通気口
６ａ、６ｂ  外部ファン
７ａ、７ｂ  外部ファン収容室
８ａ、８ｂ、８ｃ  隔壁通気口
９ａ、９ｂ、９ｃ、９ｄ  外気流路
１０ａ、１０ｂ、１０ｃ、１０ｄ、１０ｅ  熱交換器
１２ａ、１２ｂ  循環ファン
１３  内部ファン
１４ａ、１４ｂ  バイメタル
【図１】
0003739486.tif 000002
【図２】
0003739486.tif 000003
【図３】
0003739486.tif 000004
【図４】
0003739486.tif 000005
【図５】
0003739486.tif 000006
【図６】
0003739486.tif 000007
【図７】
0003739486.tif 000008
【図８】
0003739486.tif 000009
【図９】
0003739486.tif 000010
【図１０】
0003739486.tif 000011